(57)【要約】【課題】会員の会員情報に変更が生じても事務局側で再発行をする必要がない会員証を提供する。【解決手段】表示画面１７を備える携帯情報端末１００であって、学会の会員の会員情報を表示画面１７に表示する表示手段を備える。表示手段は会員の顔写真を表示画面１７に表示することができ、会員情報は会員の名前および会員ＩＤを含むことができる。【選択図】図１
2017199110.tif 000002
【特許請求の範囲】
【請求項１】
表示画面を備える携帯情報端末であって、
学会の会員の会員情報を前記表示画面に表示する表示手段を備える携帯情報端末。
【請求項２】
前記表示手段が、前記会員の顔写真を前記表示画面に表示する、請求項１に記載の携帯情報端末。
【請求項３】
前記会員情報は、前記会員の名前および会員ＩＤを含む、請求項１から２のいずれかに記載の携帯情報端末。
【請求項４】
前記会員が、前記学会に関連するイベントに参加する会員であり、前記イベントが、学術集会、セミナー、研修、講義または専門医の試験である、請求項１から３のいずれかに記載の携帯情報端末。
【請求項５】
前記表示手段が、前記会員情報を二次元コードまたは一次元コードの形式で表示する、請求項１から４のいずれかに記載の携帯情報端末。
【請求項６】
前記二次元コードまたは前記一次元コードは、前記表示手段によって前記会員情報が表示された時刻の情報を含む、請求項５に記載の携帯情報端末。
【請求項７】
前記携帯情報端末が、前記会員情報を記録した管理装置にネットワークを介して接続されており、
前記携帯情報端末毎に固有の端末識別コードを取得する端末識別コード取得手段と、
前記端末識別コードを前記会員情報と対応付けて前記管理装置に送信する端末識別コード送信手段と、
をさらに備える、請求項１から６のいずれかに記載の携帯情報端末。
【請求項８】
請求項１から７のいずれかに記載の携帯情報端末と、
前記携帯情報端末にネットワークを介して接続され、前記会員情報を記録した会員情報記録手段を備えた管理装置と、を備えたシステムであって、
前記管理装置は、
前記会員情報に含まれる会員認証情報を読み取る会員認証情報読取手段と、
前記会員認証情報読取手段が読み取った前記会員認証情報が有効であるか否かを判定する会員認証情報判定手段と、
を備えた、システム。
【請求項９】
前記携帯情報端末は、請求項６に記載の携帯情報端末であり、
前記管理装置の前記会員認証情報判定手段は、前記会員認証情報読取手段が前記会員認証情報を読み取った時刻と、前記会員情報が表示された前記時刻とが所定の有効時間内にある場合に、前記会員認証情報が有効であると判定する、請求項８に記載のシステム。
【請求項１０】
前記管理装置は、前記会員認証情報判定手段が前記会員認証情報が有効であると判定した場合に、前記会員情報に前記イベントの参加情報を記録する参加情報記録手段をさらに備える、請求項８または９に記載のシステム。
【請求項１１】
前記学会が、医学分野または歯学分野の学会であり、
前記イベントが専門医の試験であり、
前記参加情報が、前記学会の前記専門医の認定に使用される、請求項１０に記載のシステム。
【請求項１２】
前記携帯情報端末は、請求項７に記載の携帯情報端末であり、
前記管理装置の前記会員情報記録手段は、各会員の前記端末識別コードと前記会員情報とが対応付けられたデータベースを記憶しており、
前記管理装置は、
前記携帯情報端末から送信された前記端末識別コードおよび前記会員情報を前記データベースと照合することにより、前記表示手段に前記会員情報の表示を許可するか否かを判断する認証手段をさらに備える、請求項８に記載のシステム。
【請求項１３】
前記管理装置が、
少なくとも前記会員情報記録手段を備えたサーバ装置と、
前記サーバ装置に接続され、少なくとも前記会員認証情報読取手段を備えた受付装置とで構成されている、請求項８から１２のいずれかに記載のシステム。
【請求項１４】
請求項１から７のいずれかに記載の携帯情報端末の各手段としてコンピュータを機能させるためのプログラム。
【請求項１５】
請求項１４に記載のプログラムを記録した、コンピュータ読み取り可能な記録媒体。
【請求項１６】
請求項８から１３のいずれかに記載の管理装置の各手段としてコンピュータを機能させるためのプログラム。
【請求項１７】
請求項１６に記載のプログラムを記録した、コンピュータ読み取り可能な記録媒体。
【発明の詳細な説明】
【技術分野】
【０００１】
本発明は、表示画面を備える携帯情報端末に関し、より詳細には、学会に所属する会員の会員情報を表示画面に表示する携帯情報端末、携帯情報端末と管理装置とを備えたシステム、携帯情報端末プログラム、管理装置プログラム、およびこれらプログラムを記録したコンピュータ読み取り可能な記録媒体に関する。
【背景技術】
【０００２】
従来から、各種学会はその会員に対して会員証を交付している。例えば特許文献１に示すように、これまでの会員証はプラスチック製または紙製であり、会員証の表面には、会員の名前や会員番号等の会員情報が記載されている。
【先行技術文献】
【特許文献】
【０００３】
【特許文献１】特開平１０−２１７６５５号公報
【発明の概要】
【発明が解決しようとする課題】
【０００４】
従来のプラスチック製または紙製の会員証は、学会の事務局側で作成されて会員に送付されている。そのため、結婚により名前に変更が生じた場合や会員証を紛失した場合には会員証を再発行しなければならない。会員証はプラスチック製または紙製であることから、再発行には手間と時間がかかる。また、会員から学会事務局への会員証の再発行申請も必要となり面倒である。
【０００５】
本発明は、上記課題を解決するためになされたものであり、その目的は、会員の会員情報に変更が生じても事務局側で再発行をする必要がない会員証を提供することにある。
【課題を解決するための手段】
【０００６】
上記目的を達成するための本発明は、以下に示す態様を含む。
（項１）
表示画面を備える携帯情報端末であって、
学会の会員の会員情報を前記表示画面に表示する表示手段を備える携帯情報端末。
（項２）
前記表示手段が、前記会員の顔写真を前記表示画面に表示する、項１に記載の携帯情報端末。
（項３）
前記会員情報は、前記会員の名前および会員ＩＤを含む、項１から２のいずれかに記載の携帯情報端末。
（項４）
前記会員が、前記学会に関連するイベントに参加する会員であり、前記イベントが、学術集会、セミナー、研修、講義または専門医の試験である、項１から３のいずれかに記載の携帯情報端末。
（項５）
前記表示手段が、前記会員情報を二次元コードまたは一次元コードの形式で表示する、項１から４のいずれかに記載の携帯情報端末。
（項６）
前記二次元コードまたは前記一次元コードは、前記表示手段によって前記会員情報が表示された時刻の情報を含む、項５に記載の携帯情報端末。
（項７）
前記携帯情報端末が、前記会員情報を記録した管理装置にネットワークを介して接続されており、
前記携帯情報端末毎に固有の端末識別コードを取得する端末識別コード取得手段と、
前記端末識別コードを前記会員情報と対応付けて前記管理装置に送信する端末識別コード送信手段と、
をさらに備える、項１から６のいずれかに記載の携帯情報端末。
（項８）
項１から７のいずれかに記載の携帯情報端末と、
前記携帯情報端末にネットワークを介して接続され、前記会員情報を記録した会員情報記録手段を備えた管理装置と、を備えたシステムであって、
前記管理装置は、
前記会員情報に含まれる会員認証情報を読み取る会員認証情報読取手段と、
前記会員認証情報読取手段が読み取った前記会員認証情報が有効であるか否かを判定する会員認証情報判定手段と、
を備えた、システム。
（項９）
前記携帯情報端末は、項６に記載の携帯情報端末であり、
前記管理装置の前記会員認証情報判定手段は、前記会員認証情報読取手段が前記会員認証情報を読み取った時刻と、前記会員情報が表示された前記時刻とが所定の有効時間内にある場合に、前記会員認証情報が有効であると判定する、項８に記載のシステム。
（項１０）
前記管理装置は、前記会員認証情報判定手段が前記会員認証情報が有効であると判定した場合に、前記会員情報に前記イベントの参加情報を記録する参加情報記録手段をさらに備える、項８または９に記載のシステム。
（項１１）
前記学会が、医学分野または歯学分野の学会であり、
前記イベントが専門医の試験であり、
前記参加情報が、前記学会の前記専門医の認定に使用される、項１０に記載のシステム。
（項１２）
前記携帯情報端末は、項７に記載の携帯情報端末であり、
前記管理装置の前記会員情報記録手段は、各会員の前記端末識別コードと前記会員情報とが対応付けられたデータベースを記憶しており、
前記管理装置は、
前記携帯情報端末から送信された前記端末識別コードおよび前記会員情報を前記データベースと照合することにより、前記表示手段に前記会員情報の表示を許可するか否かを判断する認証手段をさらに備える、項８に記載のシステム。
（項１３）
前記管理装置が、
少なくとも前記会員情報記録手段を備えたサーバ装置と、
前記サーバ装置に接続され、少なくとも前記会員認証情報読取手段を備えた受付装置とで構成されている、項８から１２のいずれかに記載のシステム。
（項１４）
項１から７のいずれかに記載の携帯情報端末の各手段としてコンピュータを機能させるためのプログラム。
（項１５）
項１４に記載のプログラムを記録した、コンピュータ読み取り可能な記録媒体。
（項１６）
項８から１３のいずれかに記載の管理装置の各手段としてコンピュータを機能させるためのプログラム。
（項１７）
項１６に記載のプログラムを記録した、コンピュータ読み取り可能な記録媒体。
【発明の効果】
【０００７】
本発明によると、携帯情報端末が表示画面を備え、会員の会員情報を表示画面に表示することができる。表示画面に表示する会員情報は、学会の事務局側が管理する管理装置内のデータベースから取得しているので、会員証画面には常に最新の会員情報が表示画面に表示される。よって、会員の会員情報に変更が生じても、会員証を再発行する必要はない。また、携帯情報端末の表示画面に会員の会員情報を表示しているので、会員証を紛失する心配もなく、プラスチック製または紙製の会員証を別途所持する必要もない。
【図面の簡単な説明】
【０００８】
【図１】本発明の実施の形態に係る携帯情報端末１００と管理装置２００とを備えるシステムを説明するための模式図である。
【図２】本発明の実施の形態に係る携帯情報端末１００および管理装置２００のハードウェア構成を示すブロック図である。
【図３】本発明の実施の形態に係る携帯情報端末１００および管理装置２００の機能を説明するためのブロック図である。
【図４】本発明の実施の形態に係る携帯情報端末１００によって提供される各種会員サービスの画面遷移図である。
【図５−１】（ａ）ログイン画面ＳＳ１および（ｂ）トップ画面ＳＳ２の例示的な画面表示例である。
【図５−２】（ａ）メニュー画面ＳＳ３および（ｂ）会員証画面ＳＳ４の例示的な画面表示例である。
【図５−３】（ａ）お知らせ情報画面ＳＳ５および（ｂ）詳細画面ＳＳ５１の例示的な画面表示例である。
【図５−４】イベントカレンダー画面ＳＳ６，ＳＳ６１の例示的な画面表示例である。
【図５−５】問合先画面ＳＳ７の例示的な画面表示例である。
【図５−６】（ａ）参加登録画面ＳＳ８および（ｂ）申込画面ＳＳ８１の例示的な画面表示例である。
【図５−７】（ａ）支払い画面ＳＳ８２および（ｂ）完了画面ＳＳ８３の例示的な画面表示例である。
【図５−８】参加登録済画面ＳＳ９の例示的な画面表示例である。
【図６】本発明の実施の形態に係る端末識別コード（端末ＩＤ）による認証処理の概念を説明するための模式図である。
【図７】本発明の実施の形態に係る携帯情報端末１００および管理装置２００の間で行う認証処理の機能を説明するためのブロック図である。
【図８】本発明の実施の形態に係る会員認証手段３１および端末認証手段４１が行うデータ処理の手順を示すフローチャートである。
【図９】本発明の実施の形態に係る携帯情報端末１００および管理装置２００の間で行う会員情報表示処理および参加登録認証処理の機能を説明するためのブロック図である。
【図１０】本発明の実施の形態に係る会員証表示手段３２が行うデータ処理の手順を示すフローチャートである。
【図１１】本発明の実施の形態に係る参加登録認証手段４２が行うデータ処理の手順を示すフローチャートである。
【発明を実施するための形態】
【０００９】
以下、本発明の実施の形態を、添付の図面を参照して詳細に説明する。なお、以下の説明および図面において、同じ符号は同じまたは類似の構成要素を示すこととし、よって、同じまたは類似の構成要素に関する説明を省略する。
（システム概要）
【００１０】
図１は、本発明の実施の形態に係る携帯情報端末１００と管理装置２００とを備えるシステムを説明するための模式図である。本発明の実施の形態では、従来のプラスチック製の会員証の機能は、例えばスマートフォンやラップトップ・コンピュータ等の携帯情報端末を用いて実現されている。すなわち、会員自身が所持するスマートフォンに、会員証の機能を備えるアプリケーションプログラム（会員アプリ）をインストールすることにより、従来の会員証の表示内容をスマートフォンの表示画面上に表示している。
【００１１】
携帯情報端末１００は、会員自身が所持しており、会員の会員情報を表示画面に表示している。これにより従来のプラスチック製の会員証を代替する。管理装置２００は、学会の事務局が管理しており、学会に所属する各会員の会員情報をデータベースとして記録している。携帯情報端末１００と管理装置２００とはインターネット９９を介して接続されており、携帯情報端末１００の表示画面に表示される会員情報は、管理装置２００内のデータベースから常に最新のものが取得されている。
【００１２】
なお、後述する追加の機能として、管理装置２００はサーバ装置２００Ｓと受付装置２００Ｒとを備える構成とすることができ、学術集会やセミナー等のイベントの開催現場において、会員の参加登録を認証することもできる。この場合の会員の参加登録の認証は、携帯情報端末１００の表示画面に記載されているコード化された会員情報５７を、開催現場に設置された受付装置２００Ｒのコード読取機にかざして会員情報を読み取ることにより実現される。受付装置２００Ｒとサーバ装置２００Ｓとは例えばインターネットにより接続されている。コード読取機は、例えばＱＲコード（登録商標）リーダまたはバーコードリーダである。
【００１３】
（ハードウェア構成）
図２は、本発明の実施の形態に係る携帯情報端末１００および管理装置２００のハードウェア構成を示すブロック図である。携帯情報端末１００は、演算装置１０と入力部１６と表示部１７とを備える。入力部１６および表示部１７は演算装置１０に接続されている。任意の構成として、携帯情報端末１００は撮像部を備えることができる。管理装置２００は、演算装置２０と入力部２６と出力部２７とを備える。入力部２６および出力部２７は、演算装置２０に接続されている。
【００１４】
演算装置１０，２０は、例えば汎用コンピュータで構成されており、後述するデータ処理を行うＣＰＵ１１，２１と、データ処理の作業領域に使用するメモリ１２，２２と、処理データを記録する記録部１３，２３と、各部の間でデータを伝送するバス１４，２４と、外部機器とのデータの入出力を行うインタフェース部１５，２５（以下、Ｉ／Ｆ部と記す）とを備えている。
【００１５】
本実施形態では、携帯情報端末１００はカメラ付きのスマートフォンであり、入力部１６と表示部１７とは一体化されてタッチパネル式の表示装置として構成されている。また、任意の撮像部はＣＭＯＳイメージセンサまたはＣＣＤイメージセンサ等の撮像素子で構成することができる。また、本実施形態では、管理装置２００の演算装置２０はサーバ装置２００Ｓであり、管理装置２００の入力部２６および出力部２７のそれぞれは、受付装置２００Ｒのコード読取機および印刷機としてそれぞれ構成されている。
【００１６】
以下の説明においては、特に断らない限り、演算装置１０，２０が行う処理は、記録部１３，２３またはメモリ１２，２２に格納されたプログラムに基づいて、実際には演算装置１０，２０のＣＰＵ１１，２１が行う処理を意味する。ＣＰＵ１１，２１はメモリ１２，２２を作業領域として必要なデータ（処理途中の中間データ等）を一時記憶し、記録部１３，２３に演算結果等の長期保存するデータを適宜記録する。
【００１７】
また、演算装置１０，２０は、以下の図８、図１０および図１１で説明するステップＳ１〜Ｓ２４の処理を行うために、本発明に係るプログラムを、例えば実行形式（例えばプログラミング言語からコンパイラにより変換されて生成される）で記録部１３，２３に予め記録しており、演算装置１０，２０は、記録部１３，２３に記録したプログラムを使用して処理を行う。
【００１８】
（機能ブロック）
図３は、本発明の実施の形態に係る携帯情報端末１００および管理装置２００の機能を説明するためのブロック図である。
【００１９】
図３（ａ）に示すように、携帯情報端末１００の演算装置１０は、会員サービス提供手段３０を備える。会員サービス提供手段３０は、図５−１〜図５−８の例示的な画面表示例に示す各種会員サービスを、携帯情報端末１００を所持する会員に提供する。会員サービス提供手段３０は、会員認証手段３１と、会員証表示手段３２と、会員情報変更手段３３と、お知らせ情報表示手段３４と、イベントカレンダー表示手段３５と、問合先表示手段３６と、イベント参加登録受付手段３７とを備える。これらの機能ブロックは、本発明に係るプログラムを演算装置１０の記録部１３またはメモリ１２にインストールし、このプログラムをＣＰＵ１１が実行することにより実現される。
【００２０】
図３（ｂ）に示すように、管理装置２００の演算装置２０は、会員情報記録手段４０と、端末認証手段４１と、参加登録認証手段４２とを備える。会員情報記録手段４０は、学会に所属する各会員の会員情報のデータや、会員サービスの提供に必要なデータ等を記録するためのデータベースであり、会員情報データベース４０Ａと、お知らせ情報データベース４０Ｂと、イベント情報データベース４０Ｃとを備える。これら各種データベースは、例えばMySQLやOracle（登録商標）Database等のミドルウェアにより、関係データベースとして構築することができる。これらの機能ブロックは、本発明に係るプログラムを演算装置２０の記録部２３またはメモリ２２にインストールし、このプログラムをＣＰＵ２１が実行することにより実現される。
【００２１】
なお、管理装置２００がサーバ装置２００Ｓと受付装置２００Ｒとを備える構成とする場合、サーバ装置２００Ｓは、少なくとも会員情報記録手段４０を備え、受付装置２００Ｒは、少なくとも、参加登録認証手段４２の会員認証情報読取手段４２１を備える。
【００２２】
（会員サービスの概要）
図４は、本発明の実施の形態に係る携帯情報端末１００によって提供される各種会員サービスの画面遷移図であり、図５−１〜図５−８は、各種会員サービスの例示的な画面表示例である。本発明の実施の形態に係る携帯情報端末１００では、会員の会員情報を表示画面に表示することにより、従来のプラスチック製の会員証を代替している。以下、携帯情報端末１００が提供する各種会員サービスについて、図４および図５−１〜図５−８を参照して概要を説明する。
【００２３】
・ログイン認証
図５−１（ａ）に示すログイン画面ＳＳ１では、入力部１６を介して会員認証情報が入力されることにより、会員および端末の認証処理（ログイン処理）が行われる。会員認証情報は、例えば会員ＩＤおよびパスワードであり、会員ＩＤは、例えば半角の英数字（ログイン名）で表される。本実施形態では、会員ＩＤは、所定の桁数の数字で表される会員番号である。認証処理は、携帯情報端末１００側の会員認証手段３１と管理装置２００側の端末認証手段４１とにより行われる。認証処理の詳細は図７を参照して後述する。
【００２４】
会員のログインが許可されると、図５−１（ｂ）に示すトップ画面ＳＳ２が表示される。トップ画面ＳＳ２の右下に表示されているメニューボタン５１が押下されると、図５−２（ａ）に示すメニュー画面ＳＳ３が表示される。メニュー画面ＳＳ３には、会員証ボタン５２、お知らせボタン５３、カレンダーボタン５４、コンタクト（問合先）ボタン５５、および参加登録ボタン５６が表示されており、各ボタンに対応付けられたそれぞれの会員サービスを提供するための画面を表示する。
【００２５】
・会員証表示
会員証ボタン５２が押下されると会員証を表示する。図５−２（ｂ）に示す会員証画面ＳＳ４では、会員の会員情報として、例えば会員の氏名、会員番号および所属が表示される。表示する会員情報は、管理装置２００内の会員情報データベース４０Ａから取得する。さらに会員証画面ＳＳ４には、コード化された会員情報５７と、会員の顔写真５８とを表示することができる。なお、会員証は身分証明書として使用することができることから、他人による成りすましを防止するために、コード化された会員情報５７を時間制限付きのものとすることができる。すなわち、コード化された会員情報５７は、更新ボタン５９が押下される度に、会員証画面ＳＳ４が表示された時刻の情報を含んで更新される。会員証の表示処理は、会員証表示手段３２がこれらの手順を実行することにより行われる。
【００２６】
任意の機能として、会員情報およびパスワードは、内容に修正がある場合には、会員情報変更手段３３により変更することができる。修正内容は入力部１６を介して入力され、会員情報変更手段３３は、修正された会員情報の内容で、管理装置２００内の会員情報データベース４０Ａを更新する。
【００２７】
・お知らせ情報の表示
お知らせボタン５３が押下されると、お知らせ情報を表示する。図５−３（ａ）に示すお知らせ情報画面ＳＳ５では、管理装置２００内のお知らせ情報データベース４０Ｂから取得したお知らせ情報を表示する。表示されているそれぞれのお知らせ項目を押下すると、図５−３（ｂ）の詳細画面ＳＳ５１に示すように、それぞれのお知らせ項目の詳細を表示する。表示するお知らせ情報の項目は、会員種別毎にフィルタリングが可能である。お知らせ情報の表示は、お知らせ情報表示手段３４がこれらの手順を実行することにより行われる。
【００２８】
・イベントカレンダーの表示
カレンダーボタン５４が押下されると、イベントカレンダーを表示する。図５−４（ａ）、（ｂ）に示すイベントカレンダー画面ＳＳ６，ＳＳ６１では、管理装置２００内のイベント情報データベース４０Ｃから取得したイベント情報をカレンダー形式で日付順に表示する。表示するイベントは、学術集会や研究会、学会の理事会や総会だけではなく、例えば関連する製薬メーカが主催するイベントを含むことができる。また、表示するイベントは、本日以降の未開催のものと、既に開催済みのものとを切り替えることができる。イベント情報の表示は、イベントカレンダー表示手段３５がこれらの手順を実行することにより行われる。
【００２９】
・問合先の表示
コンタクトボタン５５が押下されると、図５−５に示す問合先画面ＳＳ７を表示する。問合先の表示は、問合先表示手段３６により行われる。
【００３０】
・イベント参加登録の受付
イベント参加登録の受付は、イベント参加登録受付手段３７が以下の手順を実行することにより行われる。
【００３１】
参加登録ボタン５６が押下されると、図５−６（ａ）に示す参加登録画面ＳＳ８を表示する。会員が対象のイベントの参加登録をまだ行っていない場合には、参加登録ボタン６１が表示され、参加登録ボタン６１が押下されると、図５−６（ｂ）に示す申込画面ＳＳ８１が表示される。会員が対象のイベントの参加登録を既に完了している場合には、図５−８に示す参加登録済画面ＳＳ９が表示される。
【００３２】
申込画面ＳＳ８１では、会員は、会員のカテゴリをラジオボタンで選択し、懇親会の参加の有無をチェックボックスにチェックする。また、対象イベント用のネームカードに印字する所属および氏名に修正がある場合には、入力ボックスに表示されている所属および氏名の修正を行う。入力ボックスに表示する所属および氏名のデフォルト値は、管理装置２００内の会員情報データベース４０Ａから取得することができる。ネームカードには、会員の所属、氏名、参加登録の証明、および領収金額等が印字される。ネームカードは、学術集会やセミナー等のイベントの開催現場において、会員の参加登録の認証時に、事務局側の受付装置２００Ｒに接続された印刷機によって印刷され、会員に配布される。支払いボタン６２が押下されると、図５−７（ａ）に示す支払い画面ＳＳ８２が表示される。
【００３３】
支払い画面ＳＳ８２では、会員は、表示されている申込内容と、決済方法（例えば、クレジットカードによる支払い）とを確認し、間違いがなければ決済ボタン６３を押下する。決済ボタン６３が押下されると、図５−７（ｂ）に示す完了画面ＳＳ８３が表示される。決済ボタン６３押下後の決済処理の手順は、公知の処理手順に基づく。完了画面ＳＳ８３が表示されると、当該イベントの参加登録の申込内容に基づいて、管理装置２００内の会員情報データベース４０Ａおよびイベント情報データベース４０Ｃが更新される。完了画面ＳＳ８３内のチケット表示ボタン６４が押下されると、会員は対象のイベントの参加登録を既に完了しているので、図５−８に示す参加登録済画面ＳＳ９が表示される。
【００３４】
参加登録済画面ＳＳ９では、管理装置２００内の会員情報データベース４０Ａおよびイベント情報データベース４０Ｃから取得した、当該イベントの参加登録の申込内容が表示される。また、参加登録済画面ＳＳ９には、コード化された申込内容６５が表示されている。コード化された申込内容６５は、当該イベントの参加登録の申込内容の情報を含んでいる。このコード化された申込内容６５は、時間制限付きのものとすることができる。すなわち、コード化された申込内容６５は、更新ボタン６６が押下される度に、参加登録済画面ＳＳ９が表示された時刻の情報を含んで更新される。
【００３５】
任意の機能として、コード化された申込内容６５は、例えばiOSのPassbook（登録商標）またはWallet機能によるチェックイン・チケットまたはパスとして含まれることができる。
【００３６】
（成りすまし防止対策）
本発明の実施の形態に係る携帯情報端末１００によって提供される各種会員サービスでは、他人による成りすましを防止するために、いくつかの成りすまし防止対策を施している。以下、成りすまし防止対策について説明する。本実施形態において施している成りすまし防止対策は、端末識別コードによる認証処理と、時間制限付きの会員情報の表示処理との２種類である。
【００３７】
・端末識別コード（端末ＩＤ）による認証処理
図６は、本発明の実施の形態に係る端末識別コード（端末ＩＤ）による認証処理の概念を説明するための模式図である。本実施形態では、会員のログイン認証時に、端末識別コードを用いた端末レベルでの認証をあわせて行うことにより、会員が所持していない別の端末からの、会員以外の第三者による成りすましによるログインを防止する。
【００３８】
図６では、会員がログインを行う際に想定される例示的な一連の３つのケースについて説明する。なお、会員情報データベース４０Ａ内には、会員の会員番号と端末ＩＤとが対応付けられて、１つのレコードとして記録されるものとする。端末ＩＤは、携帯情報端末毎に固有の識別コードである。
【００３９】
第１のケースは、会員が新規の端末Ａを使用して会員サービスを初めて利用するときである。第２のケースは、第１のケースの後、会員が端末Ａから別の端末Ｂに機種変更したときである。第３のケースは、第２のケースの後、会員以外の第三者が、会員の機種変更前の元の端末Ａを何らかの方法で入手し、第三者が会員に成りすまして端末Ａを使用して会員サービスを利用するときである。
【００４０】
まず、第１のケースの時点での認証を考える。この時点では、会員サービスの利用は初めてであるので、会員情報データベース４０Ａ内には、会員の会員番号と端末ＩＤとは対応付けられて記録されていない。したがって、会員のログイン情報として、会員番号「１００００１」と端末Ａの端末ＩＤ「ＡＣＸＢ」とが対応付けられて、時間の情報と共に会員情報データベース４０Ａ内に新規に登録される。管理装置２００側の端末認証手段４１は、端末Ａからの会員「１００００１」のログインを許可する。
【００４１】
次に、第２のケースの時点での認証を考える。この時点では、既に会員サービスの利用経験があり、会員情報データベース４０Ａ内には、会員の会員番号「１００００１」と端末ＩＤ「ＡＣＸＢ」とが対応付けられて記録されている。例えば、会員が、機種変更後の新たな端末Ｂを使用してログインしようとすると、会員のログイン情報として、会員番号「１００００１」と端末Ｂの端末ＩＤ「ＸＡＢＹ」とが、端末Ｂから管理装置２００側の端末認証手段４１に送信される。会員情報データベース４０Ａ内には、会員番号「１００００１」と端末ＩＤ「ＸＡＢＹ」とのセットは記録されていないので、端末認証手段４１は、機種変更後の新たな端末Ｂからの会員「１００００１」のログインを許可する。この際、端末認証手段４１は、任意の機能として、別の端末Ｂからのログインであることを示す警告を、端末Ｂの表示画面に表示してもよい。端末Ｂからのログインを許可すると、端末認証手段４１は、会員番号「１００００１」と端末Ｂの端末ＩＤ「ＸＡＢＹ」とを対応付けて、時間の情報と共に会員情報データベース４０Ａ内に新たに登録し、この新たに登録したログイン情報である、会員番号「１００００１」と端末Ｂの端末ＩＤ「ＸＡＢＹ」とのセットを、最新のログイン情報として記録する。
【００４２】
その後、第３のケースの時点での認証を考える。会員以外の第三者が、会員の機種変更前の元の端末Ａを何らかの方法で入手し、会員に成りすまして端末Ａを使用してログインしようとすると、会員のログイン情報として、会員番号「１００００１」と端末Ａの端末ＩＤ「ＡＣＸＢ」とが、端末Ａから端末認証手段４１に送信される。しかしながら、この会員番号と端末ＩＤとのセットは、会員情報データベース４０Ａ内に登録されている、会員番号「１００００１」についての最新のログイン情報ではないので、端末認証手段４１は、機種変更前の元の端末Ａからの会員「１００００１」のログインを許可しない。すなわち、会員の機種変更前の元の端末Ａを入手した、会員以外の第三者による成りすましによるログインを防止することができる。
【００４３】
図７は、本発明の実施の形態に係る携帯情報端末１００および管理装置２００の間で行う認証処理の機能を説明するためのブロック図であり、図８は、本発明の実施の形態に係る会員認証手段３１および端末認証手段４１が行うデータ処理の手順を示すフローチャートである。図７に示すように、会員認証手段３１は、端末識別コード取得手段３１１と、端末識別コード送信手段３１２と、ログイン許可手段３１３とを備える。
【００４４】
ステップＳ１では、会員認証手段３１は、会員認証情報の入力を入力部１６から受け取る。会員認証情報は、本実施形態では会員の会員番号およびパスワードである。
【００４５】
ステップＳ２では、端末識別コード取得手段３１１が、携帯情報端末１００毎に備えられている固有の識別コードを取得する。端末識別コードの一例としては、例えばiPhone（登録商標）で採用されている基本ソフトウェアiOSでは、UIID (Unique Installation Identifier)やUUID (Universally Unique Identifier)であり、例えばGoogle社で開発されている基本ソフトウェアAndroid（登録商標）では、Android IDである。
【００４６】
ステップＳ３では、ステップＳ１で入力部１６から受け取った会員認証情報と、ステップＳ２で取得した端末識別コードとを、端末識別コード送信手段３１２が、管理装置２００の端末認証手段４１に送信する。
【００４７】
ステップＳ４では、端末認証手段４１が、携帯情報端末１００から受け取った会員認証情報と端末識別コードとのセットの有無を、会員情報データベース４０Ａに照会する。ステップＳ５において、端末識別コードが最新のセットか否かを判断し、端末識別コードが最新のセットの場合には、ステップＳ６において、ログイン許可手段３１３が会員のログインを許可し、例えば図５−１（ｂ）のトップ画面ＳＳ２を表示して、携帯情報端末１００にて会員サービスの提供を開始する。ステップＳ５において、端末識別コードが最新のセットではないと判断された場合には、会員のログインを許可せず、ステップＳ１の処理に戻る。
【００４８】
・時間制限付きの会員情報の表示処理およびこれを利用した専門単位の認定処理
学術集会やセミナー等のイベントの開催現場において、会員の参加登録を認証する際に、プラスチック製の会員証を受付の係員に提示することにより、本人確認が行われている。これは例えば、医学分野や歯学分野の一部の学会では、予め指定された学術集会への参加が、その学会が認定する専門医の認定の要件となっているからである。本発明の実施の形態では、会員の会員情報を携帯情報端末１００の表示画面に表示することにより、従来のプラスチック製の会員証を代替している。
【００４９】
しかしながら、スマートフォン等の携帯情報端末の画面表示は、基本ソフトウェア（ＯＳ）のスクリーンショット機能により、表示されている画面の画像データの保存が可能であることから、会員が、会員証画面のスクリーンショットを、会員から第三者へ電子メール等で送信することにより、第三者の別の携帯情報端末の表示画面に、会員の会員証画面を偽装して表示することが考えられる。これにより、会員が第三者に依頼をし、第三者が会員に成りすまして、専門医の認定に指定されている学術集会に参加すること、つまり代返をすることが可能となる。
【００５０】
本実施形態では、携帯情報端末１００の表示画面に表示されるコード化された会員情報５７を時間制限付きのものとすることにより、会員以外の第三者による成りすましを防止している。
【００５１】
図９は、本発明の実施の形態に係る携帯情報端末１００および管理装置２００の間で行う会員情報表示処理および参加登録認証処理の機能を説明するためのブロック図である。
【００５２】
図９に示すように、会員証表示手段３２は、会員情報取得手段３２１と、二次元コード生成手段３２２と、会員情報表示手段３２３とを備える。会員証表示手段３２は、任意の構成として、顔写真表示手段３２４を備えることができる。参加登録認証手段４２は、会員認証情報読取手段４２１と、会員認証情報判定手段４２２と、参加情報記録手段４２３とを備える。参加登録認証手段４２は、任意の構成として、専門単位付与手段４２４を備えることができる。
【００５３】
図１０は、本発明の実施の形態に係る会員証表示手段３２が行うデータ処理の手順を示すフローチャートである。例示的な画面表示例を図５−２（ｂ）の会員証画面ＳＳ４に示す。
【００５４】
ステップＳ１１では、会員情報取得手段３２１が、管理装置２００内の会員情報データベース４０Ａから会員の会員情報を取得する。会員情報は、例えば会員の氏名、会員番号および所属を含んでいる。
【００５５】
次に、ステップＳ１２において、取得した会員情報に表示時刻の情報を含め、ステップＳ１３において、二次元コード生成手段３２２が、表示時刻の情報を含む会員情報を二次元コードに変換する。このコード化された会員情報５７には、表示画面に会員情報を表示する時刻の情報が含まれており、この表示時刻の情報は、後述する管理装置２００の会員認証情報判定手段において、会員認証情報（例えば、会員番号およびパスワード）が有効か否かの判定に使用される。ステップＳ１２〜Ｓ１４の処理は実質的に瞬時であるので、表示時刻の情報は、例えばステップＳ１２を処理する時刻の情報とすることができる。二次元コード生成手段３２２には、例えば公知のＱＲコード生成プログラムを用いることができる。
【００５６】
なお、二次元コード生成手段３２２は、会員証画面ＳＳ４に表示されている更新ボタン５９が押下される度に、ステップＳ１２〜Ｓ１３の処理を実行して、最新の表示時刻の情報を含んだ、コード化された会員情報５７を生成する。
【００５７】
ステップＳ１４では、会員情報表示手段３２３が、コード化された会員情報５７を、携帯情報端末１００の表示部１７に表示する。
【００５８】
さらに任意の処理として、ステップＳ１５において、会員の顔写真５８を、コード化された会員情報５７と共に表示部１７に表示することができる。会員の顔写真５８は、例えば携帯情報端末１００の撮像部を用いて予め撮像され、携帯情報端末１００の記録部１３に予め記録されている。
【００５９】
図１１は、本発明の実施の形態に係る参加登録認証手段４２が行うデータ処理の手順を示すフローチャートである。この参加登録認証手段４２の機能は、学術集会やセミナー等のイベントの開催現場において、会員の参加登録を認証することである。すなわち、会員が会員アプリを起動して、携帯情報端末１００の表示画面に会員証画面ＳＳ４を表示し、表示画面に記載されているコード化された会員情報５７を、開催現場に設置された受付装置２００Ｒのコード読取機にかざして会員情報を読み取ることにより、会員の参加登録の認証が実現される。
【００６０】
ステップＳ２１では、会員認証情報読取手段４２１が、開催現場に設置された受付装置２００Ｒのコード読取機から、携帯情報端末１００の表示画面に記載されているコード化された会員情報５７を読み取る。読み取った会員情報には、会員認証情報（例えば、会員番号およびパスワード）と、表示画面に会員情報を表示した時刻の情報とが含まれている。会員認証情報読取手段４２１には、例えば公知のＱＲコードリーダのプログラムを用いることができ、コード化された会員情報５７をデコードすることができる。
【００６１】
次に、ステップＳ２２において、読み取った会員情報内の会員認証情報が、有効期間内であるか否かを判定する。会員認証情報判定手段４２２は、読み取った会員情報内に含まれている、表示画面に会員情報を表示した時刻の情報と、ステップＳ２１において、コード読取機からコード化された会員情報５７を読み取った時刻とが、所定の有効時間内（例えば、１分間）であるか否かを判定する。
【００６２】
所定の有効時間内であると判定された場合には、コード読取機から実際に読み取った会員情報は有効である（第三者のなりすましによるものではないと推定される）ので、ステップＳ２３において、参加情報記録手段４２３が、読み取った会員情報内に含まれている会員番号の会員について、対象とするイベントに参加した旨の情報を、管理装置２００内の会員情報データベース４０Ａに記録する。
【００６３】
さらに任意の処理として、対象とするイベントが専門医の認定に必要なイベントである場合には、ステップＳ２４において、専門単位付与手段４２４が、読み取った会員情報内に含まれている会員番号の会員について、専門医単位を会員情報データベース４０Ａに記録する。
【００６４】
なお、ステップＳ２３において、所定の有効時間内ではないと判定された場合には、受付装置２００Ｒのコード読取機から実際に読み取った会員情報は有効ではない（第三者のなりすましによるものであると推定される）ので、会員情報データベース４０Ａは更新されない。
【００６５】
このように、携帯情報端末１００の表示画面に表示されるコード化された会員情報５７を時間制限付きのものとし、管理装置２００側にて、その表示画面に表示されているコード化された会員情報５７が所定の有効時間内であるか否かを判定することにより、会員以外の第三者による成りすましを防止することができる。
【００６６】
会員が第三者に依頼をし、第三者が会員に成りすまして、会員の会員証画面を第三者の別の携帯情報端末の表示画面に偽装して表示するには、会員と第三者との間のメールの送受信や第三者側での携帯情報端末の設定等の作業が必要とされる。この作業を瞬時に行うことは困難である。したがって、コード化された会員情報５７の所定の有効時間を比較的短い時間（例えば１分間）に設定しておけば、このような第三者による表示画面の偽装表示を防止することができ、会員以外の第三者による成りすましを防止することができる。よって、専門医の認定に指定されている学術集会に第三者が代理で参加すること、つまり代返を防止することができる。
【００６７】
（付記事項）
以上、本発明を特定の実施の形態によって説明したが、本発明は上記した実施の形態に限定されるものではない。
【００６８】
上記実施の形態では、携帯情報端末１００の入力部１６と表示部１７とは一体化されてタッチパネル式の表示装置として実現されているが、入力部１６をキーボードまたはマウス等で構成し、表示部１７を液晶ディスプレイ等で構成してもよい。
【００６９】
上記実施の形態では、二次元コードであるＱＲコードを用いて会員情報をコード化しているが、ＱＲコード以外の他の二次元コードであってもよい。他の二次元コードの例としては、例えばマトリックス式のDataMatrixや、スタック式のPDF417が挙げられる。または、二次元コードに代えて、バーコード等の一次元コードを用いて会員情報をコード化してもよい。バーコードの規格の例としては、例えばJAN8、CODE39、ITF、NW-7、CODE128などが挙げられる。バーコード以外の他の一次元コードの例としては、例えば郵便事業で使用されているカスタマバーコード（日本国外では“Intelligent Mail barcode”）が挙げられる。カスタマバーコードは、バーの縦方向の長さや突き出し方向が異なるロングバー、セミロングバー（上）、セミロングバー（下）およびタイミングバーの４種類のバーで構成されるバーコードである。
【００７０】
上記実施の形態では、学会が主催するイベントを学術集会やセミナーとしているが、イベントはこれらに限定されず、イベントは、例えば、研修、講義、および専門医の試験であってもよい。
【００７１】
上記実施の形態では、コード化された会員情報５７の有効時間を１分間としているが、有効時間は１分間に限られず、会員が第三者に依頼をし、第三者が会員に成りすまして、会員の会員証画面を第三者の別の携帯情報端末の表示画面に偽装して表示するのに必要な手順を防止できる程度の時間であればよい。偽装に必要とされる、会員と第三者との間のメールの送受信や第三者側での携帯情報端末の設定等の手順は、通常、人の手を介して行われることから、瞬時に行うことは困難であり、コード化された会員情報５７の有効時間は、例えば１分程度の比較的短い時間であれば十分であると推定される。あるいは、スクリプト言語による偽装手順の処理の自動化を想定して、例えば１０秒から５秒程度のより短い時間を有効時間として設定してもよい。
【００７２】
上記実施の形態では、携帯情報端末１００毎の固有の識別コードとして、UIIDやUUID、Android IDを用いているが、識別コードはこれらに限定されず、携帯情報端末毎に固有の識別コードであれば、種々の識別コードを用いることができる。
【００７３】
上記実施の形態では、会員認証手段３１は会員番号とパスワードとを用いて会員のログイン処理を行っているが、パスワードに代えて、会員の生体情報（例えば、指紋の情報）を用いて会員のログイン処理を行ってもよい。
【００７４】
上記実施の形態では、会員の顔写真５８は携帯情報端末１００の記録部１３に予め記録されているが、携帯情報端末１００の撮像部を用いて、会員の顔写真をその場で撮像して、コード化された会員情報５７と共に表示部１７に表示してもよい。
【００７５】
上記実施の形態では、演算装置１０は一体の装置として実現されているが、演算装置１０は一体の装置である必要はなく、ＣＰＵ１１、メモリ１２、記録部１３等が別所に配置され、これらがネットワークで接続されていてもよい。演算装置１０と、入力部１６と、表示部１７と、撮像部とについても、一ヶ所に配置される必要は必ずしもなく、それぞれ別所に配置されて互いにネットワークで通信可能に接続されていてもよい。演算装置２０についても演算装置１０と同様である。
【００７６】
上記実施の形態では、演算装置１０の会員サービス提供手段３０の各機能ブロックは単一のＣＰＵ１１で実行されているが、これら各機能ブロックは単一のＣＰＵ１１で実行される必要は必ずしもなく、複数のＣＰＵで分散して処理されてもよい。演算装置２０についても演算装置１０と同様に、演算装置２０の会員情報記録手段４０、端末認証手段４１および参加登録認証手段４２は、単一のＣＰＵ２１で実行されているが、これら各機能ブロックは単一のＣＰＵ２１で実行される必要は必ずしもなく、複数のＣＰＵで分散して処理されてもよい。
【００７７】
上記実施の形態では、ステップＳ１〜Ｓ２４の処理を行うためのプログラムを記録部１３，２３に予め記録しているが、プログラムは、ＣＤ−ＲＯＭ等の、コンピュータ読み取り可能であって一時的でない有形の記録媒体（図示せず）から演算装置１０，２０にインストールしてもよいし、演算装置１０，２０をインターネット９９と接続し、インターネット９９を介して例えば外部のサーバ（図示せず）からプログラムをダウンロードしてインストールしてもよい。
【００７８】
上記実施の形態では、会員情報データベース４０Ａ、お知らせ情報データベース４０Ｂ、およびイベント情報データベース４０Ｃは、演算装置２０の記録部２３に予め記録されているが、これらお知らせ情報データベース４０Ｂ、およびイベント情報データベース４０Ｃは、例えば演算装置２０の外部のサーバ（図示せず）に記録されて、インターネット９９を介して演算装置２０に取り込まれてもよい。
【００７９】
上記実施の形態では、管理装置２００は学会の事務局が管理しているが、管理装置２００の管理者は限定されず、例えば事務局から管理を委託された第三者が管理装置２００を管理してもよい。
【００８０】
上記実施の形態では、携帯情報端末１００と管理装置２００とはインターネット９９を介して接続されているが、両者の接続態様はこれに限定されない。携帯情報端末１００と管理装置２００とは、例えばイーサネット（登録商標）のクロスケーブルを用いて直接的にローカル接続されてもよく、あるいは、Ｗｉ−Ｆｉ通信や赤外線通信、近距離無線通信（Near field radio communication）等の種々の無線通信方式で接続されていてもよい。サーバ装置２００Ｓと受付装置２００Ｒとの接続も同様に、インターネットを介した接続や、直接的なローカル接続が可能であり、上記したＷｉ−Ｆｉ通信や赤外線通信、近距離無線通信（NFC）等の種々の無線通信方式で接続することも可能である。
【００８１】
上記実施の形態では、イベント参加登録受付手段３７が表示する申込画面ＳＳ８１において、懇親会の参加の有無が入力されているが、懇親会の参加の問い合わせは任意の機能である。また、懇親会に代えて、付随する他のセミナーやワークショップ、ツアー等への参加の有無を問い合わせてもよい。
【００８２】
上記実施の形態では、会員がログインを行う際に想定される一連の３つのケースを一例として、会員以外の第三者による成りすましによるログインを防止できることを説明しているが、ログインを防止することができるのは、上記したケースに限定されない。例えば、第２のケースにおいて、会員が知り合いの第三者に依頼をして、第三者が自身の端末Ｂで、会員に成りすまして会員サービスにログインし、その後第３のケースにおいて、会員が自身の端末Ａで、会員サービスにログインすることを防止することができる。この際の認証処理の手順は、上記実施の形態での手順と同じである。このように、会員は、一度でも知り合いの第三者に別の端末Ｂでの会員サービスでのログインを許可する（これは「代返」に相当する）と、会員は、会員自身の端末Ａでは、会員サービスにログインすることができなくなる。よって、代返を依頼した会員自身のログインが防止され、継続的な代返といった不正を防止することができる。なお、このようなケースにおいて会員が会員サービスにログインするためには、会員は、第三者の別の端末Ｂを第三者から譲り受けて使用する必要があり、非常に面倒であることから、代返防止の抑止力となる。
【符号の説明】
【００８３】
１０，２０    演算装置
１２，２２    メモリ
１３，２３    記録部
１４，２４    バス
１５，２５    インタフェース部
１６，２６    入力部
１７   表示部
２７   出力部
３０   会員サービス提供手段
３１   会員認証手段
３１１ 端末識別コード取得手段
３１２ 端末識別コード送信手段
３１３ ログイン許可手段
３２   会員証表示手段
３２１ 会員情報取得手段
３２２ 二次元コード生成手段
３２３ 会員情報表示手段
３２４ 顔写真表示手段
３３   会員情報変更手段
３４   情報表示手段
３５   イベントカレンダー表示手段
３６   問合先表示手段
３７   イベント参加登録受付手段
４０   会員情報記録手段
４０Ａ 会員情報データベース
４０Ｂ 情報データベース
４０Ｃ イベント情報データベース
４１   端末認証手段
４２   参加登録認証手段
４２１ 会員認証情報読取手段
４２２ 会員認証情報判定手段
４２３ 参加情報記録手段
４２４ 専門単位付与手段
５１   メニューボタン
５２   会員証ボタン
５３   お知らせボタン
５４   カレンダーボタン
５５   コンタクトボタン
５６   参加登録ボタン
５７   会員情報
５８   顔写真
５９   更新ボタン
６１   参加登録ボタン
６２   支払いボタン
６３   決済ボタン
６４   チケット表示ボタン
６５   コード化された申込内容
６６   更新ボタン
９９   インターネット
１００ 携帯情報端末
２００ 管理装置
２００Ｒ      受付装置
２００Ｓ      サーバ装置
Ａ     新規の端末
Ｂ     別の端末
ＳＳ１ ログイン画面
ＳＳ２ トップ画面
ＳＳ３ メニュー画面
ＳＳ４ 会員証画面
ＳＳ５ お知らせ情報画面
ＳＳ５１      詳細画面
ＳＳ６，ＳＳ６１     イベントカレンダー画面
ＳＳ７ 問合先画面
ＳＳ８ 参加登録画面
ＳＳ８１      申込画面
ＳＳ８２      支払い画面
ＳＳ８３      完了画面
ＳＳ９ 参加登録済画面
【図１】
2017199110.tif 000003
【図２】
2017199110.tif 000004
【図３】
2017199110.tif 000005
【図４】
2017199110.tif 000006
【図５−１】
2017199110.tif 000007
【図５−２】
2017199110.tif 000008
【図５−３】
2017199110.tif 000009
【図５−４】
2017199110.tif 000010
【図５−５】
2017199110.tif 000011
【図５−６】
2017199110.tif 000012
【図５−７】
2017199110.tif 000013
【図５−８】
2017199110.tif 000014
【図６】
2017199110.tif 000015
【図７】
2017199110.tif 000016
【図８】
2017199110.tif 000017
【図９】
2017199110.tif 000018
【図１０】
2017199110.tif 000019
【図１１】
2017199110.tif 000020
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
表示画面を備える携帯情報端末であって、
学会の会員の会員情報と、前記会員の顔写真とを前記表示画面に表示する表示手段を備え、
前記表示手段が、前記会員情報を二次元コードまたは一次元コードの形式で表示する携帯情報端末。
【請求項２】
表示画面を備える携帯情報端末であって、
学会の会員の名前および会員ＩＤを含む会員情報を記録した管理装置にネットワークを介して接続されており、
前記会員情報を前記表示画面に表示する表示手段と、
前記携帯情報端末毎に固有の端末識別コードを取得する端末識別コード取得手段と、
前記端末識別コードを前記会員ＩＤと対応付けて、対応付けた前記端末識別コードおよび前記会員ＩＤのセットを前記管理装置に送信する端末識別コード送信手段と、
を備える携帯情報端末。
【請求項３】
前記表示手段が、前記会員の顔写真を前記表示画面に表示する、請求項２に記載の携帯情報端末。
【請求項４】
前記会員情報は、前記会員の名前および会員ＩＤを含む、請求項１に記載の携帯情報端末。
【請求項５】
前記会員が、前記学会に関連するイベントに参加する会員であり、前記イベントが、学術集会、セミナー、研修、講義または専門医の試験である、請求項１から４のいずれかに記載の携帯情報端末。
【請求項６】
前記表示手段が、前記会員情報を二次元コードまたは一次元コードの形式で表示する、請求項２または３に記載の携帯情報端末。
【請求項７】
前記二次元コードまたは前記一次元コードは、前記表示手段によって前記会員情報が表示された時刻の情報を含む、請求項１、４または６に記載の携帯情報端末。
【請求項８】
前記携帯情報端末が、前記会員情報を記録した管理装置にネットワークを介して接続されており、
前記携帯情報端末毎に固有の端末識別コードを取得する端末識別コード取得手段と、
前記端末識別コードを前記会員ＩＤと対応付けて、対応付けた前記端末識別コードおよび前記会員ＩＤのセットを前記管理装置に送信する端末識別コード送信手段と、
をさらに備える、請求項４に記載の携帯情報端末。
【請求項９】
請求項１から８のいずれかに記載の携帯情報端末と、
前記携帯情報端末にネットワークを介して接続され、前記会員情報を記録した会員情報記録手段を備えた管理装置と、を備えたシステムであって、
前記管理装置は、
前記会員情報に含まれる会員認証情報を読み取る会員認証情報読取手段と、
前記会員認証情報読取手段が読み取った前記会員認証情報が有効であるか否かを判定する会員認証情報判定手段と、
を備えた、システム。
【請求項１０】
前記携帯情報端末は、請求項７に記載の携帯情報端末であり、
前記管理装置の前記会員認証情報判定手段は、前記会員認証情報読取手段が前記会員認証情報を読み取った時刻と、前記会員情報が表示された前記時刻とが所定の有効時間内にある場合に、前記会員認証情報が有効であると判定する、請求項９に記載のシステム。
【請求項１１】
前記管理装置は、前記会員認証情報判定手段が前記会員認証情報が有効であると判定した場合に、前記会員情報に前記イベントの参加情報を記録する参加情報記録手段をさらに備える、請求項９または１０に記載のシステム。
【請求項１２】
前記学会が、医学分野または歯学分野の学会であり、
前記イベントが専門医の試験であり、
前記参加情報が、前記学会の前記専門医の認定に使用される、請求項１１に記載のシステム。
【請求項１３】
前記携帯情報端末は、請求項２、３、６または８に記載の携帯情報端末であり、
前記管理装置の前記会員情報記録手段は、各会員の前記端末識別コードと前記会員ＩＤとが対応付けられたデータベースを記憶しており、
前記管理装置は、
前記携帯情報端末から送信された前記端末識別コードおよび前記会員ＩＤのセットを前記データベースと照合することにより、前記表示手段に前記会員情報の表示を許可するか否かを判断する認証手段をさらに備える、請求項９に記載のシステム。
【請求項１４】
前記管理装置が、
少なくとも前記会員情報記録手段を備えたサーバ装置と、
前記サーバ装置に接続され、少なくとも前記会員認証情報読取手段を備えた受付装置とで構成されている、請求項９から１３のいずれかに記載のシステム。
【請求項１５】
請求項１から８のいずれかに記載の携帯情報端末の各手段としてコンピュータを機能させるためのプログラム。
【請求項１６】
請求項１５に記載のプログラムを記録した、コンピュータ読み取り可能な記録媒体。
【請求項１７】
請求項９から１４のいずれかに記載の管理装置の各手段としてコンピュータを機能させるためのプログラム。
【請求項１８】
請求項１７に記載のプログラムを記録した、コンピュータ読み取り可能な記録媒体。
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
学会の会員の会員情報を記録した管理装置にネットワークを介して接続される、表示画面を備える携帯情報端末であって、
前記会員情報と、前記会員の顔写真とを前記表示画面に表示する表示手段を備え、
前記表示手段が、前記会員情報を二次元コードまたは一次元コードの形式で表示し、
前記二次元コードまたは前記一次元コードは、前記表示手段によって前記会員情報が表示された時刻の情報を含む、携帯情報端末。
【請求項２】
請求項１に記載の携帯情報端末と、
前記携帯情報端末に前記ネットワークを介して接続される前記管理装置と、を備えたシステムであって、
前記管理装置は、
前記会員情報を記録する会員情報記録手段と、
前記会員情報に含まれる会員認証情報を読み取る会員認証情報読取手段と、
前記会員認証情報読取手段が前記会員認証情報を読み取った時刻と、前記会員情報が表示された前記時刻とが所定の有効時間内にある場合に、前記会員認証情報が有効であると判定する会員認証情報判定手段と、
を備えた、システム。
【請求項３】
前記管理装置は、前記会員認証情報判定手段が前記会員認証情報が有効であると判定した場合に、前記会員情報に前記学会に関連するイベントの参加情報を記録する参加情報記録手段をさらに備える、請求項２に記載のシステム。
【請求項４】
前記イベントが、学術集会、セミナー、研修、講義または専門医の試験である、請求項３に記載のシステム。
【請求項５】
前記学会が、医学分野または歯学分野の学会であり、
前記イベントが専門医の試験であり、
前記参加情報が、前記学会の前記専門医の認定に使用される、請求項３に記載のシステム。
【請求項６】
前記会員情報は、前記会員の名前および会員ＩＤを含み、
前記携帯情報端末は、
前記携帯情報端末毎に固有の端末識別コードを取得する端末識別コード取得手段と、
前記端末識別コードを前記会員ＩＤと対応付けて、対応付けた前記端末識別コードおよび前記会員ＩＤのセットを前記管理装置に送信する端末識別コード送信手段と、
をさらに備え、
前記管理装置の前記会員情報記録手段は、各会員の前記端末識別コードと前記会員ＩＤとが対応付けられたデータベースを記憶しており、
前記管理装置は、
前記携帯情報端末から送信された前記端末識別コードおよび前記会員ＩＤのセットを前記データベースと照合することにより、前記表示手段に前記会員情報の表示を許可するか否かを判断する認証手段をさらに備える、請求項２から５のいずれかに記載のシステム。
【請求項７】
前記管理装置が、
少なくとも前記会員情報記録手段を備えたサーバ装置と、
前記サーバ装置に接続され、少なくとも前記会員認証情報読取手段を備えた受付装置とで構成されている、請求項２から６のいずれかに記載のシステム。
【請求項８】
請求項１から６のいずれかに記載の携帯情報端末の各手段としてコンピュータを機能させるためのプログラム。
【請求項９】
請求項８に記載のプログラムを記録した、コンピュータ読み取り可能な記録媒体。
【請求項１０】
請求項２から７のいずれかに記載の管理装置の各手段としてコンピュータを機能させるためのプログラム。
【請求項１１】
請求項１０に記載のプログラムを記録した、コンピュータ読み取り可能な記録媒体。